(57)【特許請求の範囲】
【請求項１】
選択操作により画像データの出力を目的出力結果に合わせるための出力設定を行う出力設定部と、
指示操作により前記画像データを出力させ前記出力設定に応じた処理を行わせる出力操作部と、
前記出力された画像データと前記出力設定とを紐付けた紐付け情報を記憶する紐付け部と、
前記目的出力結果が得られるか否かを装置の現状から判断する状態判断部と、
前記目的出力結果が得られないと判断された前記出力設定に紐付けられた前記出力された画像データを前記紐づけ情報に基づいてリストアップする制御部と、
前記リストアップされた画像データを自動的に消去し又は消去を選択させるデータ消去部と、
を備えたことを特徴とする画像形成装置。
【請求項２】
請求項1記載の画像形成装置であって、
前記出力設定は、用紙種又はフィニッシャー利用の有無であり、
前記状態判断部が判断する装置の現状は、前記用紙種の設定状態又はフィニッシャー利用の有無状態である、
ことを特徴とする画像形成装置。
【請求項３】
請求項１又は２記載の画像形成装置であって、
ユーザー登録を行うユーザー登録部及びユーザーのログイン処理を行うログイン処理部を備え、
前記紐付け部は、前記ユーザー登録を行ったユーザー毎に前記紐付け情報を記憶し、
前記データ消去部は、前記ログイン処理を行ったユーザーについて前記画像データの消去を行う、
ことを特徴とする画像形成装置。
【請求項４】
請求項３記載の画像形成装置であって、
前記状態判断部の判断結果を記憶する記憶部と、
前記ログインしたユーザーが前記記憶された判断結果を確認可能とする確認部と、
を備えたことを特徴とする画像形成装置。
【請求項５】
請求項１〜４の何れか1項に記載の画像形成装置であって、
前記データ消去部は、目的出力結果が得られないと判断されたときに前記出力設定に紐付けられた画像データを抽出して表示させるデータリスト表示部と、前記表示された画像データを選択的に消去する選択部とを備えた、
ことを特徴とする画像形成装置。
【請求項６】
画像データの出力を目的出力結果に合わせるための出力設定機能を担う出力設定ステップと、
前記画像データを出力させ前記出力設定機能に応じた処理を行わせる出力ステップと、
前記出力された画像データと前記出力設定機能とを紐付けた紐付け情報を記憶する紐付けステップと、
前記目的出力結果が得られるか否かを装置の現状から判断する状態判断ステップと、
前記目的出力結果が得られないと判断された前記出力設定に紐付けられた画像データを前記紐づけ情報に基づいてリストアップする制御部と、
前記リストアップされた画像データを自動的に消去し又は選択的に消去するデータ消去ステップと、
をコンピューターに実現させることを特徴とする画像形成プログラム。
【発明の詳細な説明】
【技術分野】
【０００１】
本発明は、用紙に画像を形成する複合機等の画像形成装置に係り、特に、画像データを適切に消去する画像形成装置に関する。
【背景技術】
【０００２】
従来、特許文献１に記載のような画像記憶装置がある。
【０００３】
この画像記憶装置は、パーソナルボックスに画像データを記憶してから予め決められた期間が経過したことに応じて、画像データをＨＤから自動消去するよう画像データの自動消去処理を行う画像記憶装置において、ユーザーが困惑すること無くパーソナルボックスを使用できるようにするものである。
【０００４】
このため、画像形成装置のＨＤ内には複数の記憶領域を有するパーソナルボックス領域が存在し、本体制御部により、所定時間内に操作部にて画像形成装置に対する操作が行われたことに応じて、画像データの自動消去処理を遅延させるよう制御するようにしている。
【０００５】
従って、所定時間内に操作手段より画像記憶装置に対する操作が行なわれたことに応じて、画像データの自動消去処理を遅延させるよう制御するので、ユーザーは困惑すること無く記憶領域を使用できる。
【０００６】
しかし、かかる装置では、予め定められた期間内において明示的に映像データの消去を行わないと、画像データは保存され続け、その結果ＨＤ容量を圧迫する可能性があった。
【先行技術文献】
【特許文献】
【０００７】
【特許文献１】特開２０００−１０８４２５号公報
【発明の概要】
【発明が解決しようとする課題】
【０００８】
本発明が解決しようとする問題点は、予め定められた期間内において明示的に映像データの消去を行わないと、画像データは保存され続け、その結果ＨＤ容量を圧迫する可能性があった点である。
【課題を解決するための手段】
【０００９】
本発明は、より適切なデータの消去を可能にするため、選択操作により画像データの出力を目的出力結果に合わせるための出力設定を行う出力設定部と、指示操作により前記画像データを出力させ前記出力設定に応じた処理を行わせる出力操作部と、前記出力された画像データと前記出力設定とを紐付けた紐付け情報を記憶する紐付け部と、前記目的出力結果が得られるか否かを装置の現状から判断する状態判断部と、前記目的出力結果が得られないと判断された前記出力設定に紐付けられた前記出力された画像データを前記紐づけ情報に基づいてリストアップする制御部と、前記リストアップされた画像データを自動的に消去し又は消去を選択させるデータ消去部とを備えたことを特徴とする。
【発明の効果】
【００１０】
本発明によれば、目的出力結果が得られないと判断されたときに出力設定に紐付けられた画像データを自動的に消去し又は消去を選択させるため、適切なデータの消去を可能とし、記憶容量の圧迫を抑制することができる。
【図面の簡単な説明】
【００１１】
【図１】画像形成装置の機能ブロック図である。（実施例１）
【図２】画像形成装置の構成図である。（実施例１）
【図３】画像データ紐付のフローチャートである。（実施例１）
【図４】用紙種変更による画像データ自動消去のフローチャートである。（実施例１）
【図５】用紙種変更による画像データ選択消去のフローチャートである。（実施例１）
【図６】フィニッシャー有無による画像データ自動消去のフローチャートである。（実施例１）
【図７】フィニッシャー有無による画像データ選択消去のフローチャートである。（実施例２）
【図８】データ紐付のフローチャートである。（実施例２）
【図９】用紙種変更による画像データ自動消去のフローチャートである。（実施例２）
【図１０】用紙種変更による画像データ選択消去のフローチャートである。（実施例２）
【図１１】フィニッシャー有無による画像データ自動消去のフローチャートである。（実施例２）
【図１２】フィニッシャー有無による画像データ選択消去のフローチャートである。（実施例２）
【発明を実施するための形態】
【００１２】
より適切なデータの消去を可能にするという目的を、目的出力結果が得られないと判断されたときに、出力設定に紐付けられた画像データを紐付け情報に基づいて自動的に消去し又は消去を選択させるデータ消去部を備えたことにより実現した。
【実施例１】
【００１３】
［画像形成装置］
図１は、画像形成装置の機能ブロック図、図２は、画像形成装置の構成図である。
【００１４】
図１のように、画像形成装置１は、出力設定部３と出力操作部５と紐付け部７と状態判断部９とデータ消去部１１とを備えている。
【００１５】
出力設定部３は、選択操作により画像データの出力を目的出力結果に合わせるための出力設定を行うものであり、例えば、後述の複合機のタッチパネル式の操作パネル及び制御部が構成し、タッチ操作により選択を入力する。
【００１６】
出力操作部５は、指示操作により前記画像データを出力させ前記出力設定に応じた処理を行わせるものであり、例えば、後述の複合機のスタートボタン及び制御部が構成する。
【００１７】
紐付け部７は、出力された画像データと前記出力設定とを紐付けて記憶するものであり、例えば、後述の複合機の制御部及びメモリーが構成する。制御部が、出力された画像データと出力設定とを紐付け、紐付け情報をメモリーに記憶させる。
【００１８】
状態判断部９は、目的出力結果が得られるか否かを装置の現状から判断するものであり、例えば、後述の複合機の制御部が構成する。装置の現状は、用紙種の変更有無状況、フィニッシャーの有無状況などである。
【００１９】
用紙種の変更有無は、給紙トレイでの用紙種変更情報を得ることで知ることができる。フィニッシャーの有無は、画像形成装置へのフィニッシャーの着脱を検出するスイッチの信号により知ることができる。
【００２０】
データ消去部１１は、目的出力結果が得られないと判断されたときに、出力設定に紐付けられた画像データを紐付け情報に基づいて自動的に消去し又は消去を選択させるものであり、例えば、後述の複合機の制御部及び操作パネルが構成する。消去の選択は、操作パネルで行わせる。
【００２１】
図２のように、画像形成装置１は、例えば複合機で構成され、プロセッサーにメモリーが結合された構成を含む制御部１３を備え、このプロセッサーにはさらに、インターフェースを介しオートシートフィーダー１５、スキャナー１７、メモリー１９、プリンター２１、ハードディスクドライブ２３、操作パネル２５、送受信部２７、給紙トレイ２９ａ、２９ｂ、２９ｃを備えている。また、画像形成装置１には、フィニッシャー３１が着脱可能に取り付けられている。
【００２２】
制御部１３は、各部、各処理を制御すると共に、出力設定部３、出力操作部５、紐付け部７、状態判断部９、データ消去部１１として機能する。
【００２３】
オートシートフィーダー１５は、原稿を読み取るために原稿送りをするものであり、オートシートフィーダー１５により送られた原稿の画像は、スキャナー１７により読み取られてメモリー１９に格納され、処理される。
【００２４】
メモリー１９には、制御部１３により紐付けられた紐付け情報も記憶される。
【００２５】
プリンター２１は、給紙部、画像形成部、定着器及び用紙搬送部を備え、画像形成部は、制御部１３で処理された画像データに基づいて、感光ドラム上にトナー像を形成し、給紙部、例えば給紙トレイ２９ａ、２９ｂ、２９ｃの何れかから給紙された用紙にトナー像を転写させる。定着器は、このトナー像を用紙に定着させる。用紙搬送部は、用紙を給紙トレイ２９ａ、２９ｂ、２９ｃから画像形成部へ搬送し、次いで定着器へ搬送し、さらに排紙させる。
【００２６】
給紙トレイ２９ａ、２９ｂ、２９ｃは、各種の用紙を収容する。用紙の種類としては、例えば、厚紙、普通紙などがある。ユーザーによる用紙種の出力設定に応じて給紙トレイ２９ａ、２９ｂ、２９ｃから選択的に用紙の搬送が行われる。用紙種の出力設定は、給紙トレイ２９ａ、２９ｂ、２９ｃの指定による。
【００２７】
給紙トレイ２９ａ、２９ｂ、２９ｃでの用紙種の変更が有った時は、用紙種検知センサ等の信号が制御部１３に送られ、変更情報がメモリー１９に記憶される。
【００２８】
ハードディスクドライブ２３のハードディスクには、ＯＳ、アプリケーションプログラム及びデータが格納されている。
【００２９】
操作パネル２５は、例えばタッチパネルであり、ユーザーに対し各種設定を行わせるとともに情報を表示するためのものである。操作パネル２５は、前記出力設定部３、出力操作部５として機能する。
【００３０】
送受信部２７は、プリントジョブを行うためにネットワークインターフェースを介して外部のコンピューターにＬＡＮで結合され、画像情報等の送受信を行わせる。
【００３１】
フィニッシャー３１は、画像が印刷された用紙に。例えばステイプル処理やパンチ処理、紙折り処理等を施すものである。フィニッシャー３１は、画像形成装置１に対して着脱可能であり、着脱をスイッチが検知し、検知信号をフィニッシャー３１の有無の状況として着脱情報をメモリー１９に記憶させる。
【００３２】
［画像データ消去処理］
図３は、画像データ紐付のフローチャートである。
【００３３】
ステップＳ１（以下、ステップＳを「Ｓ」と略称する。）では、「出力設定」の処理により、操作パネル２５において、出力設定のための画面を表示させ、この画面での選択操作により画像データの出力を目的出力結果に合わせるための出力設定を行う。
【００３４】
例えば、給紙トレイ２９ａ、２９ｂ、２９ｃの中で、給紙トレイ２９ａに厚紙がセットされ、給紙トレイ２９ｂ、２９ｃに普通紙がセットされているとき、画像データの出力が、封筒、葉書、その他の厚紙での出力を目的出力結果とする場合に、対応した厚紙がセットされている給紙トレイ２９ａの選択を設定する。
【００３５】
また、フィニッシャー３１が装着されている状態で、ステイプル処理やパンチ処理、紙折り処理等を施す場合に、フィニッシャー３１の利用を設定する。
【００３６】
これらの出力設定は、メモリー１９に記憶される。
【００３７】
Ｓ２では、「画像データ出力」の処理において、スタートボタンの操作により制御部１３がハードディスクドライブ２３のハードディスクから画像データを読み込み、プリンター２１による印刷出力が行われ、厚紙での目的の印刷出力、又はフィニッシャー３１を利用した出力を行わせることができる。
【００３８】
Ｓ３では、「紐付」の処理により、制御部１３の制御により出力された画像データと出力設定とを紐付け、紐付け情報をメモリー１９に記憶させる。例えば、画像データが厚紙による印刷出力であれば、その画像データと給紙トレイ２９ａとが紐付けられ、画像データがフィニッシャー３１を利用した出力であれば、その画像データとフィニッシャー３１の装着（有）とが紐付けられる。
【００３９】
図４は、用紙種変更による画像データ自動消去のフローチャートである。
【００４０】
Ｓ１１では、「用紙種変更読み込み」の処理により、メモリー１９から変更情報を読み込み、Ｓ１２に移行する。
【００４１】
Ｓ１２では、「変更有？」の判断により、読み込まれた変更情報から用紙種が変更されているか否かを判断し、例えば、給紙トレイ２９ａの用紙種が厚紙から普通紙に変更されていれば（ＹＥＳ）、Ｓ３に移行し、変更がなければ（ＮＯ）、処理は終了する。
【００４２】
Ｓ１３では、「出力不可能データ抽出」により、制御部１３が、メモリー１９の紐付け情報を参照して厚紙の給紙トレイ２９ａに紐付けられた画像データをリストアップし、Ｓ１４に移行する。
【００４３】
Ｓ１４では、「出力不可能データ自動消去」により、リストアップされた画像データが自動で消去され、処理は終了する。
【００４４】
図５は、用紙種変更による画像データ選択消去のフローチャートである。本フローチャートは、基本的に図４のフローチャートと同様であり、同一ステップには同符号を付し、対応するステップには同符号にＡを付し、重複した説明は省略する。
【００４５】
図５のフローチャートは、図４のフローチャートのＳ１４に代えて、Ｓ１５、Ｓ１４Ａとしたものである。
【００４６】
Ｓ１５では、「出力不可能データ表示」の処理により、Ｓ１３でリストアップされた画像データが操作パネル２５に表示され、Ｓ６に移行する。画像データの表示は、ネットワーク接続されたクライアントＰＣに表示させてもよい。従って、制御部１３及び操作パネル２５は、目的出力結果が得られないと判断されたときに出力設定に紐付けられた画像データを抽出して表示させるデータリスト表示部を構成する。
【００４７】
Ｓ１４Ａでは、「出力不可能データ選択消去」により、ユーザーが、操作パネル２５等に表示された画像データのリストを確認し、該当する画像データがユーザーの判断により選択され、選択された画像データを制御部１３がハードディスクから消去し、処理は終了する。
【００４８】
従って、制御部１３及び操作パネル２５は、表示された画像データを選択的に消去する選択部を構成する。
【００４９】
図６は、フィニッシャー有無による画像データ自動消去のフローチャートである。本フローチャートは、基本的に図４のフローチャートと同様であり、同一ステップには同符号を付し、対応するステップには同符号にＢを付し、重複した説明は省略する。
【００５０】
図６のフローチャートは、図４のフローチャートのＳ１１、Ｓ１２に代えて、Ｓ１１Ｂ、Ｓ１２Ｂとしたものである。
【００５１】
Ｓ１１Ｂでは、「着脱情報読み込み」の処理により、フィニッシャー３１が装着されたているか、取り外されているかの着脱情報が読み込まれ、Ｓ１２Ｂに移行する。
【００５２】
Ｓ１２Ｂでは、「フィニッシャー外したか？」の判断により、読み込まれた情報からフィニッシャー３１の有無を判断し、フィニッシャー３１有であれば（ＹＥＳ）、Ｓ１３に移行し、フィニッシャー３１無であれば（ＮＯ）、処理は終了する。
【００５３】
Ｓ１３、Ｓ１４は、図4と同様に処理され、リストアップされた画像データが自動消去される。
【００５４】
図７は、フィニッシャー有無による画像データ選択消去のフローチャートであるのフローチャートである。本フローチャートは、基本的に図６のフローチャートと同様である共に図５のフローチャートに対応する。このため、図５、図６と同一ステップには同符号を付し、重複した説明は省略する。
【００５５】
図７のフローチャートは、図６のフローチャートのＳ１４に代えて、図５のフローチャートのＳ１５、Ｓ１４Ａを適用したものである。
【００５６】
Ｓ１１Ｂ、ｓ１２Ｂが図６と同様に処理され、フィニッシャー３１の有無に関して、Ｓ１５では、「出力不可能データ表示」の処理により、図５同様に、リストアップされた画像データが操作パネル２５に表示される。
【００５７】
Ｓ１４Ａでは、「出力不可能データ選択消去」により、図５同様に、ユーザーが、操作パネル２５等に表示された画像データのリストを確認し、ユーザーの判断により選択的に消去し、処理は終了する。
［実施例１の効果］
本発明実施例は、厚紙又はフィニッシャー利用の出力結果が得られないと判断されたときに厚紙又はフィニッシャー利用の出力設定に紐付けられた画像データを自動的に消去し又は消去を選択させることができる。
【００５８】
このため、適切なデータの消去を可能とし、ハードディスクの記憶容量の圧迫を抑制することができる。
【実施例２】
【００５９】
図８は、データ紐付のフローチャートである。本フローチャートは、基本的に図３のフローチャートと同様であり、同一ステップには同符号を付し、対応するステップには同符号にＣを付し、重複した説明は省略する。
【００６０】
図８のフローチャートは、図３のフローチャートのＳ３に代えて、Ｓ３Ｃとし、Ｓ１の前にＳ０を追加したものである。
【００６１】
本実施例では、ユーザー登録によりユーザー毎の紐付けを可能としたものである。
【００６２】
図８のように、Ｓ０の「ユーザー登録」では、操作パネル２５にユーザー登録画面を表示させ、ＩＤ、パスワードの入力を行なわせる。ＩＤ、パスワードの入力により制御部１３での処理によりユーザー登録が完了すると、ハードディスクドライブ２３のメモリー１９に記録され、Ｓ１に移行する。従って、本実施例において、操作パネル２５、制御部１３、及びメモリー１９は、ユーザー登録を行うユーザー登録部を構成する。
【００６３】
Ｓ１、Ｓ２は、図３と同様に処理され、Ｓ３Ｃの「ユーザー毎に紐付」の処理が行われる。この処理では、Ｓ３と同様に画像データが厚紙の給紙トレイ２９ａやフィニッシャー３１の装着（有）と紐付けられるが、この紐付けが、ユーザー毎に行われ、ユーザー毎の紐付け情報がメモリー１９に記録される。
【００６４】
図９は、用紙種変更による画像データ自動消去のフローチャートである。本フローチャートは、基本的に図４のフローチャートと同様であり、図４と同一ステップには同符号を付し、対応するステップには同符号にＤを付し、重複した説明は省略する。
【００６５】
図９のフローチャートは、図４のフローチャートのＳ１３に代えて、Ｓ１３Ｄとし、Ｓ１１の前にＳ１０を追加したものである。
【００６６】
Ｓ１０では、「ログイン処理」により、ユーザーが操作パネル２５に画面を表示させＩＤ、パスワードの入力を行うと、制御部２５がメモリー１９に記録された登録情報によりユーザーの承認処理を行い、承認されればＳ１１に移行する。
【００６７】
Ｓ１１、Ｓ１２は、図４と同様に処理され、Ｓ１３Ｄの「ログインユーザーの出力不可能データ抽出」により、メモリー１９に記録された紐付け情報からログインユーザーの出力不可能な画像データがリストアップされ、Ｓ１４に移行する。
【００６８】
Ｓ１４では、図４と同様にリストアップされた画像データが自動消去され、処理は終了する。
図１０は、用紙種変更による画像データ選択消去のフローチャートである。本フローチャートは、基本的に図９のフローチャートと同様である共に図５のフローチャートに対応する。このため、図５、図９と同一ステップには同符号を付、重複した説明は省略する。
【００６９】
図１０のフローチャートは、図９のフローチャートのＳ１４に代えて、図５のフローチャートのＳ１５、Ｓ１４Ａを適用したものである。
【００７０】
Ｓ１０、Ｓ１１、Ｓ１２、Ｓ１３Ｄが図９と同様に処理され、ログイン処理後、フィニッシャー３１の有無に関して、Ｓ１５では、「出力不可能データ表示」の処理により、図５同様に、リストアップされた画像データが操作パネル２５に表示される。
【００７１】
Ｓ１４Ａでは、「出力不可能データ選択消去」により、図５同様に、ユーザーが、操作パネル２５等に表示された画像データのリストを確認し、ユーザーの判断により選択的に消去し、処理は終了する。
【００７２】
図１１は、フィニッシャー有無による画像データ自動消去のフローチャートである。本フローチャートは、基本的に図９のフローチャートと同様である共に図６のフローチャートに対応する。このため、図６、図９と同一ステップには同符号を付、重複した説明は省略する。
【００７３】
図１１のフローチャートは、図９のフローチャートのＳ１１、Ｓ１２に代えて、図６のフローチャートのＳ１１Ｂ、Ｓ１２Ｂを適用したものである。
【００７４】
従って、ログイン処理後、フィニッシャー３１の有無に関して、ログインユーザーについてリストアップされた画像データが自動消去される。
【００７５】
図１２は、フィニッシャー有無による画像データ選択消去のフローチャートである。本フローチャートは、基本的に図１１のフローチャートと同様である共に図５のフローチャートに対応する。このため、図５、図１１と同一ステップには同符号を付、重複した説明は省略する。
【００７６】
図１２のフローチャートは、図１１のフローチャートのＳ１４に代えて、図５のフローチャートのＳ１５、Ｓ１４Ａを適用したものである。
【００７７】
従って、ログイン処理後、フィニッシャー３１の有無に関して、ログインユーザーが、操作パネル２５等に表示された画像データのリストを確認し、ユーザーの判断により選択的に消去し、処理は終了する。
【００７８】
また、本実施例においては、メモリー１９が、制御部１３での判断結果として紐付け情報を記憶する記憶部を構成し、ログインしたユーザーがメモリー１９に記憶された判断結果として、用紙種の変更等の変更リストを操作パネル２５に表示させることもできる。この場合、操作パネル２５は、変更リストを確認可能とする確認部を構成する。
【００７９】
ログインしたユーザーは、他人が変更した用紙種等を確認して、上記のようにリストアップされて操作パネル２５に表示された画像データのリストにおいて、他人による変更に基づいて画像データの選択的な消去を行わせることができる。
［実施例２の効果］
本実施例は、ユーザー登録によりログイン処理を行ったユーザーについて画像データの消去を行うことができる。
【符号の説明】
【００８０】
１  画像形成装置
３  出力設定部
５  出力操作部
７  紐付け部
９  状態判断部
１１  データ消去部
【図１】
0006365418.tif 000002
【図２】
0006365418.tif 000003
【図３】
0006365418.tif 000004
【図４】
0006365418.tif 000005
【図５】
0006365418.tif 000006
【図６】
0006365418.tif 000007
【図７】
0006365418.tif 000008
【図８】
0006365418.tif 000009
【図９】
0006365418.tif 000010
【図１０】
0006365418.tif 000011
【図１１】
0006365418.tif 000012
【図１２】
0006365418.tif 000013